(57)【要約】  番組再開方法は、起動イベントまでメディア情報の第１のストリームを出力し、起動イベントの後にメディア情報の第２のストリームを出力することを有してもよい。その方法は、メディア情報の第１のストリームの変化を反映する１つ以上の特徴について、メディア情報の第１のストリームを監視することを有してもよい。メディア情報の第１のストリームの１つ以上の特徴の検出時に、メディア情報の第２のストリームは中止されてもよく、メディア情報の第１のストリームが出力されてもよい。
2007512732.tif 000002
【特許請求の範囲】
【請求項１】
メディア通信リンクからメディアデータを受信し、前記メディアデータから第１のチャンネルを分離する第１のチューナと、
前記メディア通信リンクからメディアデータを受信し、前記メディアデータから第２のチャンネルを分離する第２のチューナと、
前記第１のチャンネルを格納するメモリと、
前記メモリに格納されるときに前記第１のチャンネルを選択的に監視し、前記第１のチャンネルの情報に基づいて前記第１のチャンネルと前記第２のチャンネルとのうち１つをディスプレイ装置に送信するプロセッサと
を有する装置。
【請求項２】
請求項１に記載の装置であって、
前記プロセッサは、コマーシャル番組の終了について前記第１のチャンネルを監視し、前記第１のチャンネルでのコマーシャル番組の終了まで前記第２のチャンネルを前記ディスプレイ装置に送信するように構成された装置。
【請求項３】
請求項２に記載の装置であって、
前記プロセッサは、前記第１のチャンネルでのコマーシャル番組の終了の後に前記第１のチャンネルを前記ディスプレイ装置に送信するように更に構成された装置。
【請求項４】
請求項１に記載の装置であって、
前記プロセッサは、前記第１のチャンネルの情報に基づいてコントローラに応じて前記第１のチューナと前記第２のチューナとのうち１つを制御するように構成された装置。
【請求項５】
請求項４に記載の装置であって、
前記プロセッサは、前記第１のチャンネルにコマーシャル番組が存在しないときに、前記コントローラに応じて前記第１のチューナを制御するように構成され、
前記プロセッサは、前記第１のチャンネルにコマーシャル番組が存在するときに、前記コントローラに応じて前記第２のチューナを制御するように構成された装置。
【請求項６】
請求項１に記載の装置であって、
前記プロセッサは、前記第１のチャンネルを監視するときに前記第２のチャンネルを前記ディスプレイ装置に送信し、前記第１のチャンネルを監視しないときに前記第１のチャンネルを前記ディスプレイ装置に送信するように構成された装置。
【請求項７】
請求項１に記載の装置であって、
前記プロセッサは、ビデオの中断、解像度の変化、音量の変化、色の変化及び経過時間のうち１つ以上について前記第１のチャンネルを監視するように構成された装置。
【請求項８】
請求項１に記載の装置であって、
前記プロセッサは、ビデオの中断、解像度の変化、音量の変化、色の変化及び経過時間のうち２つ以上について前記第１のチャンネルを監視するように構成された装置。
【請求項９】
メディアデータの第１のストリームを出力することからメディアデータの第２のストリームを出力することに変更し、
所定の条件についてメディアデータの前記第１のストリームを監視し、
前記所定の条件が検出されたときに、メディアデータの前記第１のストリームを出力することに戻ることを有する方法。
【請求項１０】
請求項９に記載の方法であって、
前記変更することは、リモコンからの制御信号に応じる方法。
【請求項１１】
請求項９に記載の方法であって、
前記変更することは、メディアデータの前記第１のストリームの１つ以上の特徴の変化に応じる方法。
【請求項１２】
請求項９に記載の方法であって、
メディアデータの前記第１のストリームを格納することを更に有する方法。
【請求項１３】
請求項９に記載の方法であって、
前記監視することは、メディアデータの中断についてメディアデータの前記第１のストリームを検査することを有する方法。
【請求項１４】
請求項１３に記載の方法であって、
前記監視することは、メディアデータの解像度の変化、メディアデータの音量の変化、メディアデータの色の変化及び経過時間のうち１つ以上について、メディアデータの前記第１のストリームを検査することを更に有する方法。
【請求項１５】
請求項１３に記載の方法であって、
前記監視することは、メディアデータの解像度の変化、メディアデータの音量の変化、メディアデータの色の変化及び経過時間のうち２つ以上について、メディアデータの前記第１のストリームを検査することを有する方法。
【請求項１６】
請求項１３に記載の方法であって、
前記メディアデータの中断は、メディアデータの周辺フレームと異なる所定の特徴を備えたメディアデータの１つ以上のフレームを有する方法。
【請求項１７】
請求項９に記載の方法であって、
前記監視することは、メディアデータの中断、メディアデータの解像度の変化、メディアデータの音量の変化、メディアデータの色の変化及び経過時間量のうち２つ以上について、メディアデータの前記第１のストリームを検査することを有する方法。
【請求項１８】
起動イベントまでメディア情報の第１のストリームを出力し、
前記起動イベントの後にメディア情報の第２のストリームを出力し、
メディア情報の前記第１のストリームの変化を反映する１つ以上の特徴について、メディア情報の第１のストリームを監視し、
メディア情報の前記第１のストリームの前記１つ以上の特徴の検出時に、メディア情報の前記第２のストリームを出力することを中止し、メディア情報の前記第１のストリームを出力することを有する方法。
【請求項１９】
請求項１８に記載の方法であって、
前記起動イベントは、コントローラからの制御入力の受信である方法。
【請求項２０】
請求項１８に記載の方法であって、
前記起動イベントは、メディア情報の前記第１のストリームのコマーシャルの開始である方法。
【請求項２１】
請求項１８に記載の方法であって、
前記１つ以上の特徴は、メディア情報の不連続性、メディア情報の解像度の変化、メディア情報の音量の変化、メディア情報の色の変化又は経過時間量を有する方法。
【請求項２２】
請求項１８に記載の方法であって、
前記監視することは、メディア情報の前記第１のストリームの変化を反映する２つ以上の特徴について、メディア情報の前記第１のストリームを検査することを有する方法。
【請求項２３】
請求項１８に記載の方法であって、
メディア情報の前記第１のストリームの変化は、メディア情報の前記第１のストリームのコマーシャルの終了である方法。
【請求項２４】
格納された命令を有する機械読取可能媒体であって、
前記命令は、
不要な番組がビデオの第１のチャンネルに存在したときに、ビデオの第２のチャンネルを表示する命令と、
前記不要な番組の終了についてビデオの前記第１のチャンネルを監視する命令と、
前記不要な番組の終了が生じたときに、ビデオの前記第２のチャンネルの代わりにビデオの前記第１のチャンネルを自動的に表示する命令と
を有する機械読取可能媒体。
【請求項２５】
請求項２４に記載の機械読取可能媒体であって、
不要な番組がビデオの前記第１のチャンネルに存在することを示す制御信号を受信する命令を更に有する機械読取可能媒体。
【請求項２６】
請求項２４に記載の機械読取可能媒体であって、
前記不要な番組は、一連のコマーシャルを有する機械読取可能媒体。
【発明の詳細な説明】
【技術分野】
【０００１】
本発明はメディア装置に関し、特にメディア装置により処理する情報に関する。
【背景技術】
【０００２】
メディア情報のソース／コンジット（conduit）（例えば通信チャンネル）と通信し、メディア情報が届けられる１つ以上の周辺装置（例えば、テレビ、通信装置等）に接続するメディア装置が考えられている。メディア装置は、メディア情報を受信し、情報を１つ以上の接続周辺装置にルーティングするために使用されることがある。周辺装置に関連する制御装置（例えばリモコン）は、所望のメディア情報（例えばテレビチャンネル）を特定の周辺装置にルーティングすることを支援するために、メディア装置に入力を提供することがある。
【０００３】
あるメディア装置は、後の再生のために入力メディア情報を記録する記憶装置を有することがある。基本的な記録及び再生機能を処理することができるが、このようなメディア装置は、装置のユーザに望ましい可能性がある他の方法で、記録メディア情報を利用する機能を欠くことがある。
【発明を実施するための最良の形態】
【０００４】
この明細書に組み込まれてその一部を構成する添付図面は、本発明の原理に従った１つ以上の実装を示しており、詳細な説明と共にこのような実装を説明する。
【０００５】
以下の詳細な説明は、添付図面を参照する。同一又は類似の要素を特定するために、同じ参照符号が異なる図面で使用されることがある。また、以下の詳細な説明は、特定の実装及び原理を示しているが、特許請求の範囲は請求項及びその均等物により定められる。
【０００６】
図１は、本発明の原理に従った例示的なシステム100を示している。システム100は、メディアストリーム105と、メディア装置110と、コントローラ150と、ディスプレイ装置160とを有してもよい。メディアストリーム105、コントローラ150及びディスプレイ装置160は全てメディア装置110とインタフェース接続するように構成されてもよい。
【０００７】
メディアストリーム105は、メディア情報のソースから無線又は有線通信リンクを介してメディア装置110に到達してもよい。メディアストリーム105は、メディア情報の１つ以上の個々のストリーム（例えばチャンネル）を有してもよい。メディアストリーム105のソースは、ケーブル、衛星又はブロードキャストテレビプロバイダを有してもよい。メディアストリーム105はまた、ビデオカメラ、再生装置、ビデオゲームコンソール、ネットワーク（例えばインターネット）を通じた遠隔装置又はその他のメディア情報のソースのような装置から生じてもよい。
【０００８】
メディア装置110は、メディアストリーム105からメディア情報を受信してもよく、コントローラ150の制御でディスプレイ装置160に同じ又は異なるメディア情報を出力してもよい。メディア装置110のいくつかの例には、パーソナルビデオレコーダ（PVR：personal  video  recorder）、メディアセンタ、セットトップボックス及び／又は汎用若しくは特殊目的コンピュータ装置が含まれてもよい。
【０００９】
図１はまた、本発明の原理に従ったシステム100のメディア装置110の例示的な実装をも示している。メディア装置110は、第１のチューナ120と、第２のチューナ125と、プロセッサ130と、メモリ140とを有してもよい。メディア装置110は要素120-140のうち一部又は全部を有してもよく、また、説明を明瞭にするために図示していない他の要素を有してもよい。更に、要素120-140は、ハードウェア、ソフトウェア／ファームウェア又はその何らかの組み合わせにより実装されてもよい。また、説明を容易にするために別々の機能モジュールとして図示されているが、要素120-140はメディア装置110内の別個の要素として実装されなくてもよい。
【００１０】
第１のチューナ120は、メディアストリーム105から情報の１つ以上のストリームを分離するように構成された１つ以上の装置を有してもよい。第１のチューナ120は、情報の第１のストリーム（テレビチャンネル又は他の情報等）にロックして出力し、メディアストリーム105の第１の周波数帯域で提示してもよい。何の第１のストリーム又はチャンネルが第１のチューナ120により出力されるかの特定の選択は、コントローラ150のユーザにより行われ、プロセッサ130を介して第１のチューナ120に送信されてもよい。
【００１１】
第２のチューナ125はまた、メディアストリーム105から情報の１つ以上のストリームを分離するように構成された１つ以上の装置を有してもよい。第２のチューナ125は、情報の第２のストリーム（テレビチャンネル又は他の情報等）にロックして出力し、メディアストリーム105の第２の周波数帯域で提示してもよい。第２のチューナ125により出力される第２のストリーム又はチャンネルは、第１のチューナ120により出力される第１のストリーム又はチャンネルと独立して、コントローラ150により決定されてもよい。従って、如何なる時でも、プロセッサ130は、メディアストリーム105に存在する情報の２つの異なるストリーム又はチャンネルを受信してもよい。
【００１２】
プロセッサ130は、メモリ140と相互作用し、チューナ120及び125からの情報の第１及び第２のストリームのうち少なくとも１つを処理してもよい。プロセッサ130はまた、コントローラ150と相互作用し、メモリ140及び／又は１つ以上のチューナ120及び125からのメディア情報を表示してもよい。メディア装置110の他の要素とプロセッサ130との相互動作についての更なる詳細は、以下で行われる。プロセッサ130は、メモリ140への情報の書き込みと、メモリ140からの情報の読み取りとを主に制御してもよい。
【００１３】
更に、プロセッサ130はまた、メモリ140への格納の前及び／又は後のメディア情報のエンコード又はデコードのように、他の関連タスクを実行してもよい。例えば、プロセッサ130は、メディア情報を様々なフォーマットに又は様々なフォーマット（（Moving  Picture  Experts  Groupからの）MPEG-1、MPEG-2、MPEG-4又はその他の既知のフォーマット若しくは後発のフォーマット等）から変換してもよい。プロセッサ130はまた、メディアストリーム105の情報の何のチャンネルが第１及び第２のチューナ120及び125により選択されるかを制御してもよい。
【００１４】
プロセッサ130は、少なくとも２つのモード（通常モード及び監視モード）で動作してもよい。通常モードでは、プロセッサ130は、最初にエンコードして又はエンコードせずに、第１のチューナ120からメモリ140にメディア情報を格納してもよい。任意選択で、プロセッサ130は、メディア情報をディスプレイ装置160に渡してもよい。このような実装では、プロセッサ130は、チューナ120からのメディア情報を通過するのではなく、格納されたメディア情報への読み取りポインタを使用して、表示されるメディア情報をメモリ140から読み取ってもよい。このようなメモリ140からのメディア情報の表示により、第１のチューナ120からの情報の時間シフトが可能になり、読み取りポインタを介してメモリ140からのメディア情報の中断や早送りや巻き戻しのような再生機能が容易になる。
【００１５】
監視モードでは、プロセッサは第１のチューナ120からメモリ140に情報を格納し続けてもよいが、第２のチューナ125からのメディア情報をディスプレイ装置160に送信してもよい。第１のチューナ120からのメディア情報を格納する間に、プロセッサ130は、所定の条件についてこのように格納された情報を監視してもよく、このような条件の発生時に、プロセッサ130は通常動作モードに戻るような動作を実行してもよい。一例として、コマーシャル又は他の不要なコンテンツが第１のチューナ120からのメディア情報に現れたときに、プロセッサ130は監視モードに入ってもよい。第２のチューナ125からの情報は、第１のチューナ120からのコマーシャルが終了するまで視聴されてもよい。以下に詳細に説明するように、その条件に従って、プロセッサ130は第１のチューナ120からの情報を視聴する通常モードに自動的に戻ってもよい。
【００１６】
メモリ140は、バッファファイル142を少なくとも有してもよい。メモリ140は、固体、磁気又は光記憶媒体を有してもよい。その例には、半導体型メモリ、ハードディスク、光ディスク等が含まれてもよい。メモリ140は図１ではプロセッサ130のみに接続されて図示されているが、実際には、メディア情報の記録又は再生を容易にするように、メモリ140はチューナ120及び125の一方又は双方にも接続されてもよい。
【００１７】
バッファファイル142は、プロセッサ130により格納されている第１のチューナ120及び／又は第２のチューナ125からのメディア情報を有してもよい。バッファファイル142は、固定サイズのバッファとして実装されてもよく、終わりに到達したときにその始まりにループバックしてメディア情報でメモリ140を埋める確率を低減する円形ファイルとして実装されてもよい。バッファファイル142は、メディア情報の時間連続ストリーム又は複数の不連続ストリームを有してもよい。通常モードでは、プロセッサ130は、１つ以上の読み取りポインタ又は所望のメディアを再生するための同様のプレースホルダを使用して、バッファファイル142の如何なる部分からメディア情報を読み取ってもよい。
【００１８】
コントローラ150は、無線又は有線通信リンクを介してメディア装置110と通信してもよい。コントローラ150は、プロセッサ130を介してビデオデータの再生を制御し、ディスプレイ装置160でのビデオデータの表示を制御するように構成されたリモコンを有してもよい。（例えば、中断、巻き戻し等により）通常再生モード中に再生を制御することに加えて、コントローラ150はまた、監視を開始及び／又は終了してもよい。例えば、コマーシャルが第１のチューナ120からのメディア情報で始まった後に“ショーに戻る”ボタンを押下することにより、ユーザは監視モードを開始してもよい。
【００１９】
ディスプレイ装置160は、テレビ、モニタ、プロジェクタ又はメディア情報（ビデオ及びオーディオ等）を表示するのに適した他の装置を有してもよい。ディスプレイ装置160は、陰極線管（CRT）、液晶ディスプレイ（LCD）、プラズマ及び／又は投影型技術等を含む複数の表示技術を使用してもよい。ある実装では、ディスプレイ装置160はメディア装置110の近くに設置されてもよい。ある実装では、メディア装置110はディスプレイの上部又は近くに設置してもよい。本発明の原理に従った他の実装では、ディスプレイ装置160はメディア装置110から離れて設置されてもよい。
【００２０】
図２は、本発明の原理に従ったメディア情報の中断及び再開の処理200を示したフローチャートである。処理は、プロセッサ130が監視モードに入る（動作210）ことで始まってもよい。動作210の直前に、プロセッサ130は通常モードになっており、第１のチューナ120からメモリ140にメディア情報を格納し、バッファファイル142の現位置への読み取りポインタに基づいてバッファファイルからメディア情報を表示してもよい。
【００２１】
プロセッサ130は、ユーザ駆動イベント（コントローラ150のボタン押下等）に応じて、動作210で監視モードに入ってもよい。例えば、ユーザは監視モードに入るために、コントローラ150の“ショーに戻る”ボタンを押下してもよい。本発明の原理に従った他の実装では、動作210において自動的に監視モードに入ってもよい。例えば、プロセッサ130のデフォルトの動作は、プロセッサ130が第１のチューナ120からのメディア情報でコマーシャル又は他の不要な番組を検知したときに常に監視モードに入ることになっていてもよい。更に、任意選択でプロセッサ130は監視モードに入ったディスプレイ装置160に印（グラフィックのオーバーレイ等）を表示してもよい。
【００２２】
処理は、プロセッサ130が第２のチューナ125の出力をディスプレイ装置160に送信する（動作220）ことで続いてもよい。プロセッサ130は、第２のチューナ125の出力を特定のチャンネル（第１のチューナ120が出力しているチャンネル等）に初期化してもよく、第２のチューナ125は初期化されなくてもよい。このような場合、第２のチューナ125は、例えば前の監視モードのときに最後に調整されたチャンネルであれば何でも出力してもよい。プロセッサ130が監視モードにある間に、コントローラ150からのチャンネル変更コマンドは第２のチューナ125に作用してもよく、その出力がディスプレイ装置160に渡される。
【００２３】
第２のチューナ125の出力をディスプレイ装置160に渡すことにより、ユーザは、監視されている第１のチューナ120からの出力以外のチャンネルを視聴してもよい。第２のチューナ125により出力されるチャンネルは、コントローラ150により必要に応じてしばしば変更されてもよい。更に、ユーザがコマーシャル又は他の番組（例えばハーフタイムショー）を監視中のチャンネルで視聴することを希望する場合には、第２のチューナ125により出力されるチャンネルは、第１のチューナ120により出力される監視中のチャンネルと同じでもよい。
【００２４】
監視モードでは、プロセッサ130は、第１のチューナ120からメモリ140に監視中のチャンネルについてのメディア情報を格納して監視し続けてもよい（動作230）。動作230と共に、プロセッサ130はまた、監視モードに入った時点でバッファファイル142の読み取りポインタの増加を凍結又は中止してもよい。プロセッサ130は、所望の条件（第１のチューナ120により出力されるチャンネルでのコマーシャル番組の終了等）について、格納されたメディア情報を監視してもよい。プロセッサ130は、複数の技術のうち１つ以上を使用して、所望の条件についてメディア情報を監視してもよい。
【００２５】
プロセッサ130は、ビデオの中断、解像度の変化、音量の変化、色の変化及び／又は経過時間のうち１つ以上について、メディア情報を監視してもよい。例えば、黒のビデオフレームが、順次に最初のコマーシャルの前に及び順次に最後のコマーシャルの後に、放送局によりメディア情報に挿入されてもよい。プロセッサ130は、一連のコマーシャルの終了を決定するために、この黒のフレームを使用してもよく、また、ローカル局がローカルコマーシャルを検出及び挿入することに役立つことを対象とし得る類似の機構を使用してもよい。代替として又は更に、プロセッサ130はビデオ解像度又は鮮明度の変化を検出してもよい。例えば、コマーシャルは標準的な鮮明度でもよく、その一方で、コマーシャルでない番組は高鮮明度モードでもよい。プロセッサはこのような解像度の変化を検出してもよい。
【００２６】
代替として又は更に、プロセッサ130は第１のチューナからの格納されたメディア情報のオーディオ音量を監視及び調査してもよい。プロセッサ130は、コマーシャルがコマーシャルでない番組より音量が大きい傾向にあるという観測に基づいて、コマーシャルとコマーシャルでない番組とを区別してもよい。従って、プロセッサ130は、低い平均音量に基づいてコマーシャルの終了の検出を少なくとも部分的に行ってもよい。代替として又は更に、プロセッサ130は、番組であるかコマーシャルであるかを決定するために、色及び場面を使用してビデオストリームを調査してもよい。代替として又は更に、プロセッサ130は、監視モードに入ってからどのくらいの時間が経過したかを監視してもよい。プロセッサ130は、コマーシャルが15又は30秒のブロックである傾向にあるという慣習をアルゴリズム的に使用してもよい。プロセッサ130は、前記の技術のうち１つ以上を使用し、所望の信頼度で所望の条件（例えばコマーシャル又は一連のコマーシャルの終了）を検出してもよい。
【００２７】
ある時間に、プロセッサ130は、第１のチューナ120からのメディア情報の所望の条件が満たされたか否かを決定してもよい（動作240）。条件が生じていない場合、動作230において、プロセッサ130は第１のチューナ120からのメディア情報を格納して監視し続けてもよい。
【００２８】
動作240において監視中のメディア情報の条件が満たされているとプロセッサ130が決定すると、第２のチューナ125からのメディア情報の表示を中断してもよく、バッファファイル142を介して第１のチューナ120からの情報の表示を再開してもよい（動作250）。動作210で凍結／中止されていてもよい読み取りポインタは、動作240で条件が満たされた所（例えばコマーシャル又は他の不要な番組を過ぎた所）に設定されてもよい。第１のチューナ120からのメディア情報の出力はこの時点から継続してもよい。
【００２９】
動作250の後に、ある実装では監視モードが終了してもよい。換言すると、監視モードは、コマーシャル又は他の不要な番組の終了までしか続かなくてもよい。しかし、他の実装では、条件が適切であるときに監視モードが続いてもよい。例えば、コマーシャル又は他の不要な番組の開始について表示されたときに、プロセッサ130は第１のチューナ120からのメディア情報を監視してもよい。このような監視は、動作230で使用されたものに対する補助条件を有してもよい。コマーシャル又は他の不要な番組の開始が検出されると、監視モードは動作210で再開してもよい。
【００３０】
本発明の原理に従った１つ以上の実装の前記の説明は、例示及び説明を提供するものであるが、包括的であること又は開示された正確な形式に本発明を限定することを意図するものではない。前記の教示を考慮して変更及び変形が可能であり、また、本発明の実施から変更及び変形が得られることがある。
【００３１】
例えば、監視モードはコマーシャル又は他の不要な番組に関して記載されているが、プロセッサ130は、監視モードを出て表示／出力を再開する如何なる条件について、第１のチューナ120からのメディア情報を監視してもよい。このような条件は、プロセッサ130により使用される検出機構の複雑性に応じて、メディア情報の形式の変化又はメディア情報の内容の変化を有してもよい。複数の条件のうちいずれかに基づいてメディア情報の他のストリームからメディア情報の監視中のストリームに戻ることも可能であり、考えられる。
【００３２】
また、メディア装置110は、第１のチューナ120及び第２のチューナ125に加えて他のチューナを有してもよい。例えば、３つ以上のチューナがメディア装置110に含まれてもよく、１つのチューナからのメディア情報がディスプレイ装置160に出力される間に、３つのうち２つ以上が監視されてもよい。
【００３３】
更に、図２の動作は図示の順序で実装される必要はなく、全ての動作が必ずしも実行される必要はない。また、他の動作に依存しない動作は、他の動作と並行して実行されてもよい。更に、この図の動作は命令又は命令のグループとして実装されてもよく、機械読取可能媒体に実装されてもよい。
【００３４】
この出願の説明で使用された要素、動作又は命令は、明示的に記載しない限り、本発明に重要又は必須として解釈されるべきではない。また、ここで使用されるときは、単数は１つ以上のアイテムを有することを対象とする。唯一のアイテムが対象になるときは、“１つ”又は類似の用語が用いられる。本発明の要旨及び原理を実質的に逸脱することなく、本発明の前記の実装に対して変更及び変形が行われてもよい。このような変更及び変形の全てが、この開示の範囲内に含まれて、特許請求の範囲により保護されることを意図する。
【図面の簡単な説明】
【００３５】
【図１】本発明の原理に従った例示的なシステム
【図２】本発明の原理に従ったメディア情報の中断及び再開の処理を示したフローチャート
【図１】
2007512732.tif 000003
【図２】
2007512732.tif 000004
【国際調査報告】
2007512732.tif 000005
2007512732.tif 000006
2007512732.tif 000007